(57)【特許請求の範囲】
【請求項１】
通風路内に設置された熱交換器と、
前記熱交換器を通過する空気の流れを前記通風路内に形成する送風機と、
前記熱交換器によって熱の移動が行われた気体の物性値を測定するセンサ部と、該センサ部が出力する信号を伝達する信号線と、前記信号線を覆って保護する信号線保護部と、該信号線保護部を前記信号線に結束する結束具とを有するセンサユニットと、
前記結束具よりも開口面積が小さい貫通穴を有し、前記センサ部と前記結束具とが同じ側に配置されるように前記信号線及び前記信号線保護部を前記貫通穴に貫通させて前記センサユニットが取り付けられるゴムブッシュと、
前記ゴムブッシュがはめ込まれる切り欠きが形成された辺を有する板状であり、前記通風路内に設置されたゴムブッシュ保持部と、
前記ゴムブッシュを挟んで前記結束具と反対側で、前記貫通穴よりも前記ゴムブッシュ保持部の前記辺から離れた位置において前記信号線保護部を保持して前記センサユニットを前記ゴムブッシュ保持部に固定するセンサユニット固定具と
を備え、
前記切り欠きは、前記センサユニット固定具と逆側を向いて開口するように、前記ゴムブッシュ保持部の前記辺に対して斜めに形成されていることを特徴とする空気調和機。
【請求項２】
前記切り欠きは、前記ゴムブッシュのはめ込み方向が変化する屈曲部を少なくとも一つ有することを特徴とする請求項１に記載の空気調和機。
【請求項３】
通風路内に設置された熱交換器と、
前記熱交換器を通過する空気の流れを前記通風路内に形成する送風機と、
前記熱交換器によって熱の移動が行われた気体の物性値を測定するセンサ部と、該センサ部が出力する信号を伝達する信号線と、前記信号線を覆って保護する信号線保護部と、該信号線保護部を前記信号線に結束する結束具とを有するセンサユニットと、
前記結束具よりも開口面積が小さい貫通穴を有し、前記センサ部と前記結束具とが同じ側に配置されるように前記信号線及び前記信号線保護部を前記貫通穴に貫通させて前記センサユニットが取り付けられるゴムブッシュと、
前記ゴムブッシュがはめ込まれる切り欠きが形成された辺を有する板状であり、前記通風路内に設置されたゴムブッシュ保持部と、
前記ゴムブッシュを挟んで前記結束具と反対側で、前記貫通穴よりも前記ゴムブッシュ保持部の前記辺から離れた位置において前記信号線保護部を保持して前記センサユニットを前記ゴムブッシュ保持部に固定するセンサユニット固定具と
を備え、
前記切り欠きは、前記ゴムブッシュのはめ込み方向が変化する屈曲部を少なくとも一つ有することを特徴とする空気調和機。
【請求項４】
前記信号線保護部は、前記結束具から前記センサ部までの区間で少なくとも一部で前記信号線を覆い、前記結束具よりも前記センサ部側の前記センサユニットの重量を支持する強度を有することを特徴とする請求項１、２または３に記載の空気調和機。
【発明の詳細な説明】
【技術分野】
【０００１】
本発明は、空気調和機に関するものであり、特に、風路内へのセンサの取付構造に関する。
【背景技術】
【０００２】
従来、空気調和機のセンサ取付構造は、例えば熱交換器の吸込口に分割式のホルダーを配置し、分割されたホルダーの一方にサーミスタの電線を通す凹条部を、他方にこの凹条部に嵌入して電線を抑える凸条部を配置することでサーミスタを保持し、さらに分割されたホルダーの一方に第１のＵ字管挟持片を、他方に第１のＵ字管挟持片と嵌合する第２のＵ字管挟持片を有し、第１、第２のＵ字管挟持片でＵ字管を挟み込むことでホルダーを固定し、サーミスタの位置決めを行う方式などがある。
【先行技術文献】
【特許文献】
【０００３】
【特許文献１】特開平１１−１４８６９７号公報
【発明の概要】
【発明が解決しようとする課題】
【０００４】
しかしながら、上記のようなセンサ取付構造は、取り付けられるサーミスタの線径や形状、また取り付ける熱交換器のＵ字管の大きさ、Ｕ字管の間隔によって、それぞれ専用のホルダーが必要になり、コスト増につながるなどの問題があった。
【０００５】
本発明は、上記に鑑みてなされたものであって、センサを通風路内に固定するための専用の部品を必要としない空気調和機を得ることを目的とする。
【課題を解決するための手段】
【０００６】
上述した課題を解決し、目的を達成するために、本発明は、通風路内に設置された熱交換器と、熱交換器を通過する空気の流れを通風路内に形成する送風機と、熱交換器によって熱の移動が行われた気体の物性値を測定するセンサ部と、センサ部が出力する信号を伝達する信号線と、信号線を覆って保護する信号線保護部と、信号線保護部を信号線に結束する結束具とを有するセンサユニットと、結束具よりも開口面積が小さい貫通穴を有しセンサ部と結束具とが同じ側に配置されるように信号線及び信号線保護部を貫通穴に貫通させてセンサユニットが取り付けられるゴムブッシュと、ゴムブッシュがはめ込まれる切り欠きが形成された辺を有する板状であり、通風路内に設置されたゴムブッシュ保持部と、ゴムブッシュを挟んで結束具と反対側で、貫通穴よりもゴムブッシュ保持部の辺から離れた位置において信号線保護部を保持してセンサユニットをゴムブッシュ保持部に固定するセンサユニット固定具とを備えることを特徴とする。
【発明の効果】
【０００７】
本発明によれば、センサを通風路内に固定するための専用の部品を必要とすることなく、製造コストの低減化を図るとともに、取付作業の簡易化を図ることができるという効果を奏する。
【図面の簡単な説明】
【０００８】
【図１】図１は、本発明にかかる空気調和機の実施の形態のシステム構成を示す図である。
【図２】図２は、集中送風装置の構成を示す図である。
【図３】図３は、センサユニットの取付構造を示す図である。
【図４】図４は、ゴムブッシュ保持部の形状の一例を示す図である。
【図５】図５は、ゴムブッシュ保持部の形状の一例を示す図である。
【発明を実施するための形態】
【０００９】
以下に、本発明にかかる空気調和機の実施の形態を図面に基づいて詳細に説明する。なお、この実施の形態によりこの発明が限定されるものではない。
【００１０】
実施の形態．
図１は、本発明にかかる空気調和機の実施の形態のシステム構成を示す図である。空気調和機は、熱交換器２で冷却又は加熱した空気を多翼ファンなどの送風機３で冷風又は温風としてダクト４及び枝ダクト５（５ａ〜５ｄ）を介して複数の被空調室１（１ａ〜１ｄ）の各室内に分配し送風する集中送風装置６と、各枝ダクト５に装着され複数の被空調室１への冷風又は温風の送風量を開閉度にて調整するダンパ８（８ａ〜８ｄ）を備えた送風調整装置７（７ａ〜７ｄ）とを有している。ダンパ８は、被空調室１内に設置された室温設定器や室圧計などからの信号（要求風量信号）に応じて開閉度を変化させる機構を備えている。この際、ダクト４を通過する気流の風速を計測し、要求風量と比較しながら風量制御することで、適正な室温や室圧コントロールが可能となっている。ダクト４及び枝ダクト５には、グラスウールやロックウール、セルロースファイバなどで断熱加工が施されている。
【００１１】
図２は、集中送風装置６の構成を示す図である。集中送風装置６は、空調機ユニット１０の下部にある空気吸込口１２から取り入れた空気が、フィルタ１３を通過後、熱交換器２によって冷却又は加熱され、多翼ファンなどの送風機３から、空気吹出口１４に接続されたダクト４に送風される。この時、熱交換器２の風下側に配置されたセンサユニット１１によって空気の物性を測定し、フィードバック制御により、空気を最適な状態に制御することができる。また、熱交換器２から滴下するドレンを、熱交換器２の下側に取り付けられたドレンパン１５によって回収する。制御基板１６には、送風機３の回転数を変化させることによってダクト４へ送風する風量を制御するコントローラ１７が搭載されている。
【００１２】
なお、複数のフィン２ａと、複数のフィン２ａを貫通し、各々が千鳥状に配管された複数の伝熱管２ｂからなるフィンチューブ構造の熱交換器２を用いた構造を例としているが、熱交換器２は、上記のようなフィンチューブ構造の他に、二重管構造、多管円筒構造などであっても良い。また、通風路内で熱交換器２の風下に送風機３を配置して熱交換器２に風を誘導する方式の構造を例としているが、熱交換器２の風上に配置し熱交換器２に送風する方式の構造とすることも可能である。
【００１３】
図３は、センサユニットの取付構造を示す図であり、図３（ａ）は正面図、図３（ｂ）は上面図、図３（ｃ）は図３（ｂ）におけるＩＩＩｃ−ＩＩＩｃ線に沿った断面図である。センサユニットの取付構造は、センサユニット１１と、センサユニット１１を通すセンサユニット貫通部２１ａを有するゴムブッシュ２１と、ゴムブッシュ２１を通風路内に取り付けるためのゴムブッシュ保持部２２と、センサユニット１１を固定するセンサユニット固定具２３とから構成される。ゴムブッシュ保持部２２は、ゴムブッシュ２１の形状に合わせたゴムブッシュ挿入部２２ｂ及び開口部２２ａを備えた切り欠きが形成された辺２２ｃを有して風路上に設置された板状の部材であり、鋼板や樹脂部品の板状の部分を適用可能である。
【００１４】
センサユニット１１は、熱交換器２によって熱の移動が行われた気体の物性値を検出するセンサ部１１ａと、センサ部１１ａに接続され、センサ部１１ａの信号を制御基板１６上のコントローラ１７に伝達する信号線１１ｂと、信号線１１ｂを保護する信号線保護部１１ｃと、信号線保護部１１ｃを信号線１１ｂに結束する結束具１１ｄを有する。信号線保護部１１ｃは、信号線１１ｂに沿って変形自在な部材であり、ＰＶＣや難燃性の樹脂などの材料をチューブ状に成型したものを用いてこの中に信号線１１ｂを挿入したり、メッシュ状に成型したものを用いて信号線１１ｂに巻き付けたりすることができる。信号線保護部１１ｃは、結束具１１ｄで締め付けられることによって信号線１１ｂに対して固定される。
【００１５】
センサ部１１ａには、温度を測定するサーミスタや、風速を測定する風速センサ、湿度を測定する湿度センサなどの各種センサを適用可能である。
【００１６】
ゴムブッシュ２１は、信号線保護部１１ｃとほぼ同径の貫通穴がなすセンサユニット貫通部２１ａを有する。また、ゴムブッシュ２１は、ゴムブッシュ保持部２２を構成する鋼板や樹脂板の板厚と同じ幅の溝部２１ｂを有する。さらに、ゴムブッシュ２１は、センサユニット１１を先端のセンサ部１１ａからセンサユニット貫通部２１ａを通さずに直接取り付けられるように、センサユニット貫通部２１ａからゴムブッシュ２１の外郭まで開くことが可能な切り込み部２１ｃを有する。
【００１７】
ゴムブッシュ２１は、ゴムブッシュ挿入部２２ｂに溝部２１ｂが嵌るようにしてゴムブッシュ保持部２２に設置される。ゴムブッシュ２１をゴムブッシュ保持部２２に設置し、センサユニット１１をセンサユニット貫通部２１ａに通して結束具１１ｄがゴムブッシュ２１に接触した状態で、結束具１１ｄが配置されていない側からセンサユニット１１に引っ張り力（例えば２Ｎの引っ張り力）を加えた時に、センサユニット１１がゴムブッシュ２１から脱落しないように、結束具１１ｄとの接触面は、加わる応力に耐える硬度を有する材料で形成されている。例えば、ゴムブッシュ２１の材料には、天然ゴムやクロロプレンゴムなどを適用可能であるが、特定の材料に限定されることはない。
【００１８】
ゴムブッシュ２１は、センサユニット１１の結束具１１ｄとセンサユニット固定具２３とが、センサユニット貫通部２１ａを挟むようにセンサユニット１１に取り付けられ、センサ部１１ａと結束具１１ｄとはゴムブッシュ２１の同じ側に配される。センサユニット１１の結束具１１ｄは、センサユニット貫通部２１ａの開口よりも大きな形状である。また、ゴムブッシュ２１を挟んで結束具１１ｄと反対側で、ゴムブッシュ保持部２２の辺２２ｃから信号線１１ｂが遠ざかるようにセンサユニット固定具２３で信号線保持部１１ｃをゴムブッシュ保持部２２に固定する（換言すると、センサユニット貫通部２１ａよりもゴムブッシュ保持部２２の辺２２ｃから離れた位置において信号線保護部１１ｃを保持する。）ことで、通風路内でのセンサユニット１１の位置決めを行っている。辺２２ｃから遠ざかる方向成分を含むように信号線保護部１１ｃを固定することにより、ゴムブッシュ２１がゴムブッシュ挿入部２２ｂから脱落しにくくなる。なお、センサユニット固定具２３は、コードクリップによりネジで固定する方法や、固定用爪部付きの結束バンドを用いる方法がある。
【００１９】
このように、センサユニット１１は、一方は結束具１１ｄがゴムブッシュ２１に当たることで移動が制限され、他方はセンサユニット固定具２３によって固定されることで、センサユニット１１を一定の位置に位置決めされる。このようにしてセンサユニット１１の位置決めを行うことで、センサユニット１１の通風路内での位置決めが、専用の部品を使用することなく、安価な構成で達成することが可能となる。また、取り付け、取り外しもセンサユニット固定具２３とゴムブッシュ２１との取り付け、取り外しを容易に行うことが可能となる。すなわち、製品の分解を容易に行える。
【００２０】
図４、図５は、ゴムブッシュ保持部の形状の一例を示す図である。ゴムブッシュ保持部２２の開口部２２ａがセンサユニット固定具２３と逆側を向くように、ゴムブッシュ保持部２２の辺２２ｃに対して角度を付けてゴムブッシュ挿入部２２ｂを設けたり（図４）、ゴムブッシュ２１のはめ込み方向が開口部２２ａの方向から１回以上向きを変えるようにゴムブッシュ挿入部２２ｂに屈曲部２２ｄを少なくとも一つ設けることで（図５）、ゴムブッシュ２１がゴムブッシュ挿入部２２ｂから脱落しにくくなり、センサユニット１１を取り付けたゴムブッシュ２１を、ゴムブッシュ保持部２２によって確実に保持することが可能になる。
【００２１】
さらに、信号線保護部１１ｃは、結束具１１ｄからセンサ部１１ａまで一定の長さを有し、結束具１１ｄからセンサ部１１ａまでのセンサユニット１１の重量を保持できる強度を持つことで、通風路内の空気をセンサユニット１１の固定位置から空中に離れた箇所でも専用の部品を用いることなく、安価に測定することができ、かつ、取り付け取り外し作業にも追加工程が発生せずに容易に行うことを可能とする。すなわち、信号線保護部１１ｃは、センサ部１１ａまで完全に信号線１１ｂを覆う必要はなく、センサ部１１ａを支持できるのであれば、センサ部１１ａの近傍で信号線１１ｂが露出していても良い。
【産業上の利用可能性】
【００２２】
以上のように、本発明にかかる空気調和機は、専用の部品を用いなくともセンサを通風路内に固定することができる点で有用である。
【符号の説明】
【００２３】
１ａ〜１ｄ  被空調室
２  熱交換器
２ａ  フィン
２ｂ  伝熱管
３  送風機
４  ダクト
５ａ〜５ｄ  枝ダクト
６  集中送風装置
７ａ〜７ｄ  送風調整装置
８ａ〜８ｄ  ダンパ
１０  空調機ユニット
１１  センサユニット
１１ａ  センサ部
１１ｂ  信号線
１１ｃ  信号線保護部
１１ｄ  結束具
１２  空気吸込口
１３  フィルタ
１４  空気吹出口
１５  ドレンパン
１６  制御基板
１７  コントローラ
２１  ゴムブッシュ
２１ａ  センサユニット貫通部
２１ｂ  溝部
２１ｃ  切り込み部
２２  ゴムブッシュ保持部
２２ａ  開口部
２２ｂ  ゴムブッシュ挿入部
２２ｃ  辺
２２ｄ  屈曲部
２３  センサユニット固定具
【図１】
0005538338.tif 000002
【図２】
0005538338.tif 000003
【図３】
0005538338.tif 000004
【図４】
0005538338.tif 000005
【図５】
0005538338.tif 000006